(57)【特許請求の範囲】
【請求項１】
筐体を含み、前記筐体の頂壁には上方に開口する摺動空間が左右対称になるように設置され、前記摺動空間の中には摺動座が摺動可能に装着され、左右両側の前記摺動座には支持座が固定的に装着され、前記支持座には回転軸が回転可能に装着され、左側の前記回転軸には第一プーリが固定的に装着され、左右両側の前記回転軸には付勢ヘッドが固定的に装着され、前記付勢ヘッドはローラに付勢してローラを固定することができ、前記第一プーリは前記回転軸を回転させることで、ワイヤーロープを巻き取り、前記第一プーリの下側には前記回転軸の回転を駆動できる動力機構が設置され、前記筐体の頂面にはロープ通し座が固定的に装着され、前記ロープ通し座の中には通し穴が設置され、前記通し穴に巻き取るワイヤーロープを通し、前記通し穴の中にはゴムが固定的に装着され、前記ゴムは前記通し穴に通したワイヤーロープのトゲを消すことができ、前記筐体の右面には右方に開口する上昇棒空間が設置され、前記筐体の右面には補助座が固定的に装着され、前記上昇棒空間の中には回転棒が回転可能に装着され、前記補助座には補助棒がヒンジで装着され、前記回転棒には上昇板がヒンジで装着され、前記上昇板の頂面には上昇座が固定的に装着され、前記上昇座は、ワイヤーロープを巻き取り終えた後にワイヤーロープを巻き取ったローラを上げられ、前記回転棒が回転することで前記上昇座にあるワイヤーロープを地面に送られ、前記回転棒には伝動機構が連結されていることを特徴とするトゲ消し機能を有するワイヤーロープ巻取設備。
【請求項２】
前記動力機構は前記摺動座の中に設置された歯車空間を含み、前記歯車空間の左右内壁の間には歯車軸が回転可能に装着され、前記歯車軸には第二プーリが固定的に装着され、前記第二プーリと前記第一プーリとの間には第一ベルトが伝動可能に装着され、前記第二プーリの右側において前記歯車軸には歯車が固定的に装着され、左側の前記摺動空間の底壁には長柱状歯車空間が前記摺動空間と連通になるように設置され、前記長柱状歯車空間の右内壁の中には第一モータが固定的に装着され、前記第一モータの出力軸には長柱状歯車が固定的に連結され、前記長柱状歯車は前記歯車と噛み合っていることを特徴とする請求項１に記載のトゲ消し機能を有するワイヤーロープ巻取設備。
【請求項３】
前記ロープ通し座の中には潤滑油を収容できる潤滑油収容空間が設置されていることを特徴とする請求項１に記載のトゲ消し機能を有するワイヤーロープ巻取設備。
【請求項４】
前記ロープ通し座の右面には案内輪が固定的に装着されていることを特徴とする請求項１に記載のトゲ消し機能を有するワイヤーロープ巻取設備。
【請求項５】
右側の前記付勢ヘッドには弾性付勢ヘッドが固定的に装着されていることを特徴とする請求項１に記載のトゲ消し機能を有するワイヤーロープ巻取設備。
【請求項６】
前記伝動機構は前記筐体の中に設置されたウォーム歯車空間を含み、前記ウォーム歯車空間の後内壁の中には第二モータが固定的に装着され、前記第二モータの出力軸にはウォーム軸が固定的に装着され、前記ウォーム軸にはウォームが設置され、前記ウォーム歯車空間の右側には第一プーリ空間が設置され、前記第一プーリ空間の右側には第二プーリ空間が設置され、前記第二プーリ空間と前記ウォーム歯車空間との間にはウォーム歯車軸が回転可能に装着され、前記ウォーム歯車軸にはウォーム歯車が固定的に装着され、前記ウォーム歯車は前記ウォームと噛み合っていることを特徴とする請求項１に記載のトゲ消し機能を有するワイヤーロープ巻取設備。
【請求項７】
前記上昇棒空間と前記第一プーリ空間との間には上昇棒回転軸が回転可能に装着され、前記上昇棒空間は前記上昇棒回転軸に固定的に装着され、前記第一プーリ空間において前記ウォーム歯車軸には第三プーリが固定的に装着され、前記第一プーリ空間において前記上昇棒回転軸には第四プーリが固定的に装着され、前記第四プーリと前記第三プーリとの間には第二ベルトが伝動可能に装着されていることを特徴とする請求項６に記載のトゲ消し機能を有するワイヤーロープ巻取設備。
【請求項８】
前記上昇座にはゴムパッドが設置され、前記ゴムパッドはワイヤーロープが摩擦によってトゲを生じることを避けられることを特徴とする請求項１に記載のトゲ消し機能を有するワイヤーロープ巻取設備。
【請求項９】
前記第二プーリ空間において前記ウォーム歯車軸には第五プーリが固定的に装着され、左右の前記摺動空間の間にはネジ山軸が回転可能に装着され、前記ネジ山軸において左右側に対向するネジ山が形成され、前記ネジ山軸は前記第二プーリ空間を貫通し、前記第二プーリ空間において前記ネジ山軸には第六プーリが固定的に装着され、前記第六プーリと前記第五プーリとの間には第三ベルトが伝動可能に装着され、左右両側の前記摺動座は前記ネジ山軸とネジ山で装着されていることを特徴とする請求項６に記載のトゲ消し機能を有するワイヤーロープ巻取設備。
【発明の詳細な説明】
【技術分野】
【０００１】
本願発明は建築工事用品分野を取り上げ、特にトゲ消し機能を有するワイヤーロープ巻取設備に関わる。
【背景技術】
【０００２】
生活レベルの向上につれ、より多くの人々は都会で住むようになり、これに伴い、大量の住宅は建てられてきた。住宅やビルの建設において、ワイヤーロープは欠かせない建築用材であり、ワイヤーロープを搬送するにはまず巻き取る必要がある。しかし、既存するワイヤーロープの巻取設備は、巻き取りを行う時に、ワイヤーロープにトゲ消し加工を行えない。ワイヤーロープにトゲがあると、見た目のみならず、使用寿命にまで影響を及ぼしてしまう。さらに、巻き取られたワイヤーロープを卸す時には、トゲがあるため、非常に不便で、昇降機などの補助設備が要り、極めて手間がかかる。
【先行技術文献】
【特許文献】
【０００３】
【特許文献１】中国特許出願公開第１０７５５２９６３号明細書
【発明の概要】
【発明が解決しようとする課題】
【０００４】
トゲ消し機能を有するワイヤーロープ巻取設備を提供し、上記問題を解決することを目的とする。
【課題を解決するための手段】
【０００５】
本願に記載のトゲ消し機能を有するワイヤーロープ巻取設備は、筐体を含み、前記筐体の頂壁には上方に開口する摺動空間が左右対称になるように設置され、前記摺動空間の中には摺動座が摺動可能に装着され、左右両側の前記摺動座には支持座が固定的に装着され、前記支持座には回転軸が回転可能に装着され、左側の前記回転軸には第一プーリが固定的に装着され、左右両側の前記回転軸には付勢ヘッドが固定的に装着され、前記付勢ヘッドはローラに付勢してローラを固定することができ、前記第一プーリは前記回転軸を回転させることで、ワイヤーロープを巻き取り、前記第一プーリの下側には前記回転軸の回転を駆動できる動力機構が設置され、
前記筐体の頂面にはロープ通し座が固定的に装着され、前記ロープ通し座の中には通し穴が設置され、前記通し穴に巻き取るワイヤーロープを通し、前記通し穴の中にはゴムが固定的に装着され、前記ゴムは前記通し穴に通したワイヤーロープのトゲを消すことができ、前記筐体の右面には右方に開口する上昇棒空間が設置され、前記筐体の右面には補助座が固定的に装着され、前記上昇棒空間の中には回転棒が回転可能に装着され、前記補助座には補助棒がヒンジで装着され、前記回転棒には上昇板がヒンジで装着され、前記上昇板の頂面には上昇座が固定的に装着され、前記上昇座は、ワイヤーロープを巻き取り終えた後にワイヤーロープを巻き取ったローラを上げられ、前記回転棒が回転することで前記上昇座にあるワイヤーロープを地面に送られ、前記回転棒には伝動機構が連結されている。
【０００６】
前述した技術的解決策の上で、前記動力機構は前記摺動座の中に設置された歯車空間を含み、前記歯車空間の左右内壁の間には歯車軸が回転可能に装着され、前記歯車軸には第二プーリが固定的に装着され、前記第二プーリと前記第一プーリとの間には第一ベルトが伝動可能に装着され、前記第二プーリの右側において前記歯車軸には歯車が固定的に装着され、左側の前記摺動空間の底壁には長柱状歯車空間が前記摺動空間と連通になるように設置され、前記長柱状歯車空間の右内壁の中には第一モータが固定的に装着され、前記第一モータの出力軸には長柱状歯車が固定的に連結され、前記長柱状歯車は前記歯車と噛み合っている。
【０００７】
前述した技術的解決策の上で、前記ロープ通し座の中には潤滑油を収容できる潤滑油収容空間が設置されている。
【０００８】
前述した技術的解決策の上で、前記ロープ通し座の右面には案内輪が固定的に装着されている。
【０００９】
前述した技術的解決策の上で、右側の前記付勢ヘッドには弾性付勢ヘッドが固定的に装着されている。
【００１０】
前記伝動機構は前記筐体の中に設置されたウォーム歯車空間を含み、前記ウォーム歯車空間の後内壁の中には第二モータが固定的に装着され、前記第二モータの出力軸にはウォーム軸が固定的に装着され、前記ウォーム軸にはウォームが設置され、前記ウォーム歯車空間の右側には第一プーリ空間が設置され、前記第一プーリ空間の右側には第二プーリ空間が設置され、前記第二プーリ空間と前記ウォーム歯車空間との間にはウォーム歯車軸が回転可能に装着され、前記ウォーム歯車軸にはウォーム歯車が固定的に装着され、前記ウォーム歯車は前記ウォームと噛み合っている。
【００１１】
前述した技術的解決策の上で、前記上昇棒空間と前記第一プーリ空間との間には上昇棒回転軸が回転可能に装着され、前記上昇棒空間は前記上昇棒回転軸に固定的に装着され、前記第一プーリ空間において前記ウォーム歯車軸には第三プーリが固定的に装着され、前記第一プーリ空間において前記上昇棒回転軸には第四プーリが固定的に装着され、前記第四プーリと前記第三プーリとの間には第二ベルトが伝動可能に装着されている。
【００１２】
前述した技術的解決策の上で、前記上昇座にはゴムパッドが設置され、前記ゴムパッドはワイヤーロープが摩擦によってトゲを生じることを避けられる。
【００１３】
前述した技術的解決策の上で、前記第二プーリ空間において前記ウォーム歯車軸には第五プーリが固定的に装着され、左右の前記摺動空間の間にはネジ山軸が回転可能に装着され、前記ネジ山軸において左右側に対向するネジ山が形成され、前記ネジ山軸は前記第二プーリ空間を貫通し、前記第二プーリ空間において前記ネジ山軸には第六プーリが固定的に装着され、前記第六プーリと前記第五プーリとの間には第三ベルトが伝動可能に装着され、左右両側の前記摺動座は前記ネジ山軸とネジ山で装着されている。
【発明の効果】
【００１４】
本発明は以下のプラス効果を有する：本願発明はワイヤーロープを巻き取られ、搬送に便利を与え、また、巻き取る時に、ワイヤーロープにできたトゲを消すことができ、ワイヤーロープの使用寿命を延ばし、さらに、カスリなどを防ぐため、ワイヤーロープの表面を潤滑にし、ほかにも、巻取用のローラでワイヤーロープをより簡単に搬送でき、巻取が終わった後に、ほかの補助設備が要らず、自動的にワイヤーロープを卸すことができ、使用が便利で、普及に値する。
【図面の簡単な説明】
【００１５】
下記に図１〜４を合わせて本発明について詳しく説明し、便利に説明するために、本願に記載の各方向を以下のように規定する：図１は本願発明の正面図であり、本願に記載の各方向は、図１における観察方向に基づくものである。
【００１６】
【図１】図１は本願発明の全体構成略図
【図２】図２は図１におけるＡ―Ａ方向からの断面構成略図
【図３】図３は図２におけるＢ―Ｂ方向からの断面構成略図
【図４】図４は図２におけるＣ部の拡大構成略図
【発明を実施するための形態】
【００１７】
図１〜図４に示したように、本願に記載のトゲ消し機能を有するワイヤーロープ巻取設備は、筐体１０を含み、前記筐体１０の頂壁には上方に開口する摺動空間１１が左右対称になるように設置され、前記摺動空間１１の中には摺動座１４が摺動可能に装着され、左右両側の前記摺動座１４には支持座２３が固定的に装着され、前記支持座２３には回転軸２１が回転可能に装着され、左側の前記回転軸２１には第一プーリ２２が固定的に装着され、左右両側の前記回転軸２１には付勢ヘッド２４が固定的に装着され、前記付勢ヘッド２４はローラに付勢してローラを固定することができ、前記第一プーリ２２は前記回転軸２１を回転させることで、ワイヤーロープを巻き取り、前記第一プーリ２２の下側には前記回転軸２１の回転を駆動できる動力機構８０が設置され、
前記筐体１０の頂面にはロープ通し座５１が固定的に装着され、前記ロープ通し座５１の中には通し穴５３が設置され、前記通し穴５３に巻き取るワイヤーロープを通し、前記通し穴５３の中にはゴム５４が固定的に装着され、前記ゴム５４は前記通し穴５３に通したワイヤーロープのトゲを消すことができ、前記筐体１０の右面には右方に開口する上昇棒空間４３が設置され、前記筐体１０の右面には補助座４６が固定的に装着され、前記上昇棒空間４３の中には回転棒３０が回転可能に装着され、前記補助座４６には補助棒２８がヒンジで装着され、前記回転棒３０には上昇板２７がヒンジで装着され、前記上昇板２７の頂面には上昇座２９が固定的に装着され、前記上昇座２９は、ワイヤーロープを巻き取り終えた後にワイヤーロープを巻き取ったローラを上げられ、前記回転棒３０が回転することで前記上昇座２９にあるワイヤーロープを地面に送られ、前記回転棒３０には伝動機構８１が連結されている。
【００１８】
前記動力機構８０は前記摺動座１４の中に設置された歯車空間１７を含み、前記歯車空間１７の左右内壁の間には歯車軸１６が回転可能に装着され、前記歯車軸１６には第二プーリ１８が固定的に装着され、前記第二プーリ１８と前記第一プーリ２２との間には第一ベルト１９が伝動可能に装着され、前記第二プーリ１８の右側において前記歯車軸１６には歯車２０が固定的に装着され、左側の前記摺動空間１１の底壁には長柱状歯車空間１２が前記摺動空間１１と連通になるように設置され、前記長柱状歯車空間１２の右内壁の中には第一モータ１５が固定的に装着され、前記第一モータ１５の出力軸には長柱状歯車１３が固定的に連結され、前記長柱状歯車１３は前記歯車２０と噛み合い、
ワイヤーロープを巻き取るには、前記第一モータ１５を起動して前記長柱状歯車１３を回転させ、前記歯車２０は前記長柱状歯車１３につれて回転し、前記第二プーリ１８を駆動して回転させ、前記第一プーリ２２は前記第二プーリ１８につれて回転し、前記付勢ヘッド２４の間にあるローラを回転させてワイヤーロープを巻き取る。
【００１９】
前記ロープ通し座５１の中には潤滑油を収容できる潤滑油収容空間５５が設置され、前記潤滑油収容空間５５にある潤滑油が前記ゴム５４に流れることで、ワイヤーロープを潤滑にし、カスリなどによるトゲを防ぐ。  
【００２０】
前記ロープ通し座５１の右面には案内輪２５が固定的に装着され、前記案内輪２５はワイヤーロープを案内できる。
【００２１】
右側の前記付勢ヘッド２４には弾性付勢ヘッド２６が固定的に装着され、前記弾性付勢ヘッド２６はワイヤーロープを巻き取るローラの内壁に付勢してローラを固定できる。
【００２２】
前記伝動機構８１は前記筐体１０の中に設置されたウォーム歯車空間３１を含み、前記ウォーム歯車空間３１の後内壁の中には第二モータ３２が固定的に装着され、前記第二モータ３２の出力軸にはウォーム軸３５が固定的に装着され、前記ウォーム軸３５にはウォーム３４が設置され、前記ウォーム歯車空間３１の右側には第一プーリ空間３６が設置され、前記第一プーリ空間３６の右側には第二プーリ空間４７が設置され、前記第二プーリ空間４７と前記ウォーム歯車空間３１との間にはウォーム歯車軸４４が回転可能に装着され、前記ウォーム歯車軸４４にはウォーム歯車３３が固定的に装着され、前記ウォーム歯車３３は前記ウォーム３４と噛み合い、
前記第二モータ３２を起動することで、前記ウォーム軸３５は前記第二モータ３２に駆動されて回転し、前記ウォーム３４を回転させ、前記ウォーム歯車３３は前記ウォーム３４につれて回転し、減速を行い、前記第二モータ３２による動力を前記ウォーム歯車軸４４を介して送出する。
【００２３】
前記上昇棒空間４３と前記第一プーリ空間３６との間には上昇棒回転軸４１が回転可能に装着され、前記上昇棒空間４３は前記上昇棒回転軸４１に固定的に装着され、前記第一プーリ空間３６において前記ウォーム歯車軸４４には第三プーリ３８が固定的に装着され、前記第一プーリ空間３６において前記上昇棒回転軸４１には第四プーリ４２が固定的に装着され、前記第四プーリ４２と前記第三プーリ３８との間には第二ベルト３７が伝動可能に装着され、
前記第二モータ３２を起動することで、前記第三プーリ３８は回転して前記第四プーリ４２を回転させ、前記回転棒３０は前記第四プーリ４２につれて回転し、前記上昇板２７を昇降させられる。
【００２４】
前記上昇座２９にはゴムパッド４５が設置され、前記ゴムパッド４５はワイヤーロープが摩擦によってトゲを生じることを避けられる。
【００２５】
前記第二プーリ空間４７において前記ウォーム歯車軸４４には第五プーリ３９が固定的に装着され、左右の前記摺動空間１１の間にはネジ山軸４８が回転可能に装着され、前記ネジ山軸４８において左右側に対向するネジ山が形成され、前記ネジ山軸４８は前記第二プーリ空間４７を貫通し、前記第二プーリ空間４７において前記ネジ山軸４８には第六プーリ５０が固定的に装着され、前記第六プーリ５０と前記第五プーリ３９との間には第三ベルト４０が伝動可能に装着され、左右両側の前記摺動座１４は前記ネジ山軸４８とネジ山で装着され、
前記第二モータ３２を起動することで、前記第五プーリ３９は前記第二モータ３２に駆動されて回転し、前記第六プーリ５０を回転させ、前記ネジ山軸４８は前記第六プーリ５０につれて回転し、左右両側の前記摺動座１４を両側へ摺動させることで、巻き取られたワイヤーロープを卸し、左右両側の前記摺動座１４が互いに接近するように移動すると、ローラを中間部へ挟む。
【００２６】
ワイヤーロープを巻き取るには、ワイヤーロープを通し穴５３から通してローラに固定し、潤滑油収容空間５５にある潤滑油がゴム５４に流れることで、ワイヤーロープを潤滑にし、カスリなどによるトゲを防ぎ、ここで第二モータ３２を起動し、第三プーリ３８は第二モータ３２に駆動されて回転し、第四プーリ４２を回転させ、回転棒３０は第四プーリ４２につれて回転し、上昇板２７に上昇座２９にあるローラを上昇させ、さらに、第二モータ３２を起動することで、第五プーリ３９は第二モータ３２に駆動されて回転し、第六プーリ５０を回転させ、ネジ山軸４８は第六プーリ５０につれて回転し、左右両側の摺動座１４を互いに接近するように移動させることで、ローラを中間部へ挟み、ここで第一モータ１５を起動し、長柱状歯車１３を回転させ、歯車２０は長柱状歯車１３につれて回転し、第二プーリ１８を駆動して回転させ、第一プーリ２２は第二プーリ１８につれて回転し、付勢ヘッド２４の間にあるローラを回転させてワイヤーロープを巻き取り、
ワイヤーロープを巻き取り終えた後に、第二モータ３２を逆回転させてネジ山軸４８を回転させ、左右両側の摺動座１４はネジ山軸４８の回転により両側へ摺動し、巻き取られたワイヤーロープを上昇座２９に卸し、第二モータ３２はさらに回転棒３０を回転させることで、ワイヤーロープを回転させて地面に卸す。
【００２７】
本分野の従業員が明確できるのは、本発明の主旨と発想から離脱しない場合で、以上の実施例に各種な変形が加えられ、それらの変形がすべて本発明の保護範囲にある。本発明の保護方案は本発明の権利要請書を標準とすべきである。
【要約】
【課題】本願はトゲ消し機能を有するワイヤーロープ巻取設備を開示した。
【解決手段】
本願に記載のトゲ消し機能を有するワイヤーロープ巻取設備は、筐体を含み、前記筐体の頂壁には上方に開口する摺動空間が左右対称になるように設置され、前記摺動空間の中には摺動座が摺動可能に装着され、左右両側の前記摺動座には支持座が固定的に装着され、前記支持座には回転軸が回転可能に装着され、左側の前記回転軸には第一プーリが固定的に装着され、左右両側の前記回転軸には付勢ヘッドが固定的に装着され、前記付勢ヘッドはローラに付勢してローラを固定することができ、前記第一プーリは前記回転軸を回転させることで、ワイヤーロープを巻き取り、前記第一プーリの下側には前記回転軸の回転を駆動できる動力機構が設置されている。
【選択図】図１【図１】
0006789478.tif 000002
【図２】
0006789478.tif 000003
【図３】
0006789478.tif 000004
【図４】
0006789478.tif 000005